(57)【要約】      （修正有）【課題】非リン酸塩自動食器洗浄システムにおける斑点形成を低減する洗剤組成物の提供。【解決手段】（ａ）（ｉ）６０〜８２重量％の（メタ）アクリル酸、（ｉｉ）１０〜３０重量％のモノエチレン性不飽和ジカルボン酸、及び（ｉｉｉ）８〜２５重量％の２−アクリルアミド−２−メチルプロパンスルホン酸（ＡＭＰＳ）の重合単位を含み、かつ５，０００〜１００，０００のＭｗを有する、０．５〜８重量％の第１のポリマーと、（ｂ）（ｉ）６０〜９５重量％の（メタ）アクリル酸、（ｉｉ）５〜４０重量％の２−アクリルアミド−２−メチルプロパンスルホン酸（ＡＭＰＳ）の重合単位を含み、かつ５，０００〜１００，０００のＭｗを有する、０．５〜８重量％の第２のポリマーと、（ｃ）１５〜５０重量％の炭酸塩と、（ｄ）５〜５０重量％のクエン酸塩と、（ｅ）１０〜３０重量％の漂白剤とを含む、無リン系自動食器洗浄洗剤組成物。【選択図】なし【特許請求の範囲】
【請求項１】
無リン系自動食器洗浄洗剤組成物であって、
（ａ）（ｉ）６５〜８２重量％の（メタ）アクリル酸、（ｉｉ）１６〜３０重量％のマレイン酸、フマル酸、イタコン酸、メサコン酸、及びシトラコン酸からなる群から選択されるモノエチレン性不飽和ジカルボン酸、及び（ｉｉｉ）８〜１７重量％の２−アクリルアミド−２−メチルプロパンスルホン酸の重合単位を含み、かつ５，０００〜１００，０００のＭｗを有する、１．５〜８重量％の第１のポリマーと、
（ｂ）（ｉ）６０〜９５重量％の（メタ）アクリル酸、（ｉｉ）５〜４０重量％の２−アクリルアミド−２−メチルプロパンスルホン酸（ＡＭＰＳ）の重合単位を含み、かつ５，０００〜１００，０００のＭｗを有する、０．５〜８重量％の第２のポリマーと、
（ｃ）１５〜５０重量％の炭酸塩と、
（ｄ）５〜５０重量％のクエン酸塩と、
（ｅ）１０〜３０重量％の漂白剤と、を含み、
前記第１のポリマー：前記第２のポリマーの重量比が１：１〜３：１である、組成物。
【請求項２】
前記組成物が、合計で２〜１０重量％の前記第１のポリマー及び前記第２のポリマーを含む、請求項１に記載の組成物。
【請求項３】
前記組成物が、２０〜４５重量％の炭酸塩を含む、請求項１または２に記載の組成物。
【請求項４】
前記組成物が、０．２重量％未満のリンを含有する、請求項１〜３のいずれか一項に記載の組成物。
【請求項５】
前記第１のポリマーが、（ｉ）６５〜７５重量％のアクリル酸、（ｉｉ）１６〜２６重量％のマレイン酸、フマル酸、イタコン酸、メサコン酸、及びシトラコン酸からなる群から選択されるモノエチレン性不飽和ジカルボン酸、及び（ｉｉｉ）８〜１７重量％の２−アクリルアミド−２−メチルプロパンスルホン酸の重合単位を含む、請求項１〜４のいずれか一項に記載の組成物。
【請求項６】
前記第２のポリマーが、（ｉ）７５〜９３重量％のアクリル酸、及び（ｉｉ）７〜２５重量％の２−アクリルアミド−２−メチルプロパンスルホン酸の重合単位を含む、請求項１〜５のいずれか一項に記載の組成物。
【請求項７】
前記第１のポリマー及び前記第２のポリマーが、それぞれ８，０００〜５０，０００のＭｗを有する、請求項１〜６のいずれか一項に記載の組成物。
【請求項８】
前記組成物が、２０〜４０重量％のクエン酸塩を含む、請求項１〜７のいずれか一項に記載の組成物。
【発明の詳細な説明】
【背景技術】
【０００１】
本発明は一般に、非リン酸塩自動食器洗浄システムにおける斑点形成を低減する洗剤組成物に関する。
【０００２】
自動食器洗浄洗剤は、一般に、布地洗浄または水処理に使用される洗剤組成物とは異なる部類の洗剤組成物として認識される。自動食器洗浄洗剤は、完全な洗浄サイクルの後に洗浄されたアイテムに斑点がなく膜のない外観を生成することが必要とされる。無リン系組成物は、クエン酸塩、炭酸塩、ケイ酸塩、二ケイ酸塩、重炭酸塩、アミノカルボン酸塩などの非リン酸塩ビルダーに依存し、硬水のカルシウム及びマグネシウムを他から隔離させ、乾燥させて、不溶性の可視堆積物を残す。アクリル酸、マレイン酸、及び２−アクリルアミド−２−メチルプロパンスルホン酸（ＡＭＰＳ）から製造されたポリマーは、非リン酸塩ビルダーから生じた水垢を抑制するのに使用することが知られている。例えば、米国特許出願公開第２０１０／０２３４２６４号は、洗剤組成物中のアクリル酸、マレイン酸、及びＡＭＰＳから製造されたポリマーを開示している。しかし、この参照文献は、改善された性能を提供する本発明の組成物を開示していない。
【発明の概要】
【０００３】
本発明は、無リン系自動食器洗浄用洗剤組成物であって、（ａ）（ｉ）６０〜８２重量％の（メタ）アクリル酸、（ｉｉ）１０〜３０重量％のモノエチレン性不飽和ジカルボン酸、及び（ｉｉｉ）８〜２５重量％の２−アクリルアミド−２−メチルプロパンスルホン酸（ＡＭＰＳ）の重合単位を含み、かつ５，０００〜１００，０００のＭｗを有する、０．５〜８重量％の第１のポリマーと、（ｂ）（ｉ）６０〜９５重量％の（メタ）アクリル酸、（ｉｉ）５〜４０重量％の２−アクリルアミド−２−メチルプロパンスルホン酸（ＡＭＰＳ）の重合単位を含み、かつ５，０００〜１００，０００のＭｗを有する、０．５〜８重量％の第２のポリマーと、（ｃ）１５〜５０重量％の炭酸塩と、（ｄ）５〜５０重量％のクエン酸塩と、（ｅ）１０〜３０重量％の漂白剤と、を含む、組成物を対象とする。
【発明を実施するための形態】
【０００４】
特に記載がない限り、全てのパーセンテージは重量パーセント（ｗｔ％）であり、全ての温度は℃である。重量平均分子量Ｍｗは、従来技術で公知なように、ポリアクリル酸標準を使用するゲル浸透クロマトグラフィー（ＧＰＣ）によって測定される。ＧＰＣの技術は、Ｍｏｄｅｒｎ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−Ｉｎｔｅｒｓｃｉｅｎｃｅ，１９７９、及びＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，ｐ．８１−８４、において詳しく述べられている。本明細書に報告される分子量は、ダルトンの単位である。本発明で使用する場合、用語「（メタ）アクリル」は、アクリルまたはメタクリルを意味し、用語「炭酸塩」は、炭酸塩、重炭酸塩、過炭酸塩、セスキ炭酸塩のアルカリ金属塩またはアンモニウム塩を意味し、用語「ケイ酸塩」は、ケイ酸塩、二ケイ酸塩、メタケイ酸塩のアルカリ金属塩またはアンモニウム塩を意味し、用語「クエン酸塩」は、アルカリ金属クエン酸塩を意味する。好ましくは、炭酸塩、ケイ酸塩、またはクエン酸塩は、ナトリウム、カリウム、またはリチウム塩であり、好ましくは、ナトリウムまたはカリウムであり、好ましくは、ナトリウムである。炭酸塩またはクエン酸塩の重量パーセントは、金属イオンを含む塩の実際の重量に基づく。用語「無リン」は、０．５重量％未満のリン（元素状リンとして）を含有、好ましくは０．２重量％未満含有、好ましくは０．１重量％未満含有、好ましくは検出可能なリンを含まない組成物を意味する。洗剤組成物中の重量パーセンテージは、乾燥重量のパーセンテージ、すなわち、洗剤組成物中に存在し得る任意の水を除く。ポリマー中のモノマー単位のパーセンテージは、固体重量のパーセンテージ、すなわち、ポリマーエマルション中に存在し得る任意の水を除く。
【０００５】
好ましくは、洗剤組成物のクエン酸塩の量は、少なくとも８重量％、好ましくは少なくとも１０重量％、好ましくは少なくとも１５重量％、好ましくは少なくとも２０重量％、好ましくは少なくとも２５重量％であり、好ましくは４５重量％以下、好ましくは４０重量％以下、好ましくは３５重量％以下である。好ましくは、炭酸塩の量は、少なくとも２０重量％、好ましくは少なくとも２２重量％であり、好ましくは４５重量％以下、好ましくは４０重量％以下、好ましくは３５重量％以下、好ましくは３０重量％以下である。好ましくは、漂白剤は過炭酸塩または過ホウ酸塩である。好ましくは、漂白剤の量は、少なくとも１１重量％、好ましくは少なくとも１２重量％、好ましくは少なくとも１３重量％であり、好ましくは２５重量％以下、好ましくは２２重量％以下、好ましくは２０重量％以下、好ましくは１８重量％以下である。
【０００６】
好ましくは、洗剤組成物は、アミノカルボン酸塩ビルダーを含み、好ましくは１〜３５重量％の量を含み、好ましくは少なくとも１．５重量％、好ましくは少なくとも２重量％、好ましくは少なくとも５重量％、好ましくは少なくとも１０重量％含み、好ましくは３０重量％以下、好ましくは２５重量％以下、好ましくは２０重量％以下含む。好ましいアミノカルボン酸塩ビルダーは、メチルグリシン二酢酸（ＭＧＤＡ）である。
【０００７】
好ましくは、第１及び第２のポリマーはそれぞれ１：９〜９：１の重量比（第１：第２）で存在し、好ましくは１：６〜６：１、好ましくは１：４〜４：１、好ましくは１：３〜４：１、好ましくは１：２〜３．５：１で存在する。好ましくは、組成物中の第１及び第２のポリマーの総量は、１．５〜１２重量％、好ましくは２〜１１重量％、好ましくは２〜１０重量％、好ましくは２．５〜９重量％である。好ましくは、組成物は、第１のポリマーの少なくとも１重量％、好ましくは少なくとも１．５重量％、好ましくは少なくとも２重量％、好ましくは少なくとも２．５重量％、好ましくは少なくとも３重量％含み、好ましくは７．５重量％以下、好ましくは７重量％以下、好ましくは６．５重量％以下含む。好ましくは、組成物は、第２のポリマーの少なくとも０．７重量％を含み、好ましくは少なくとも０．９重量％、好ましくは少なくとも１．２重量％、好ましくは少なくとも１．５重量％、好ましくは少なくとも１．８重量％含み、好ましくは７重量％以下、好ましくは６．５重量％以下、好ましくは６重量％以下含む。
【０００８】
好ましくは、第１のポリマーは、（メタ）アクリル酸の重合単位を少なくとも６３重量％、好ましくは少なくとも６５重量％、好ましくは少なくとも６７重量％、好ましくは少なくとも６８重量％含み、好ましくは７８重量％以下、好ましくは７６重量％以下、好ましくは７４重量％以下含む。好ましくは、モノエチレン性不飽和ジカルボン酸単位は、第１のポリマーの少なくとも１２重量％、好ましくは少なくとも１４重量％、好ましくは少なくとも１６重量％、好ましくは少なくとも１８重量％であり、好ましくは２８重量％以下、好ましくは２６重量％以下、好ましくは２４重量％以下である。
【０００９】
第１及び第２のポリマーの両方について、モノエチレン性不飽和ジカルボン酸が無水物の形態で入手可能である場合、ポリマーは、重合プロセス中に加水分解されて酸になる無水物を重合することによって製造され、モノエチレン性不飽和ジカルボン酸の重合単位をもたらす。ポリマー中の重合されたジカルボン酸単位への全て言及は、カルボン酸基のｐＫａに近似またはそれを超えるｐＨ値で存在するであろう酸の金属塩を含む。好ましくは、モノエチレン性不飽和ジカルボン酸は、４〜６個の炭素原子、好ましくは４または５個の炭素原子を有する。好ましくは、モノエチレン性不飽和ジカルボン酸は、マレイン酸、フマル酸、イタコン酸、メサコン酸、及びシトラコン酸からなる群から選択され、好ましくは、マレイン酸である。
【００１０】
好ましくは、第１のポリマー中の重合されたＡＭＰＳ単位（金属塩またはアンモニウム塩を含む）の量は、少なくとも８．５重量％、好ましくは少なくとも９重量％であり、好ましくは２０重量％以下、好ましくは１７重量％以下、好ましくは１５重量％以下、好ましくは１３重量％以下である。好ましくは、第１のポリマー中のモノエチレン性不飽和ジカルボン酸及びＡＭＰＳ単位の総量は、少なくとも２４重量％であり、好ましくは少なくとも２６重量％、好ましくは少なくとも２８重量％、好ましくは少なくとも２９重量％、好ましくは少なくとも３０重量％である。
【００１１】
好ましくは、第２のポリマーは、少なくとも６５重量％、好ましくは少なくとも７０重量％、好ましくは少なくとも７５重量％、好ましくは少なくとも８０重量％、好ましくは少なくとも８５重量％含み、好ましくは９４重量％以下、好ましくは９３重量％以下、好ましくは９２重量％以下の（メタ）アクリル酸の重合単位を含む。好ましくは、第２のポリマー中のＡＭＰＳ残基（金属塩またはアンモニウム塩を含む）の量は、少なくとも６重量％、好ましくは少なくとも７重量％、好ましくは少なくとも８重量％であり、好ましくは３５重量％以下、好ましくは３０重量％以下、好ましくは２５重量％以下、好ましくは２０重量％以下、好ましくは１５重量％以下である。
【００１２】
好ましくは、いずれのポリマーも、アクリル酸またはメタクリル酸のエステル重合単位を８重量％以下含有し、好ましくは５重量％以下、好ましくは３重量％以下、好ましくは１重量％以下含有する。
【００１３】
好ましくは、ポリマーは、少なくとも８，０００のＭｗを有し、好ましくは少なくとも９，０００、好ましくは少なくとも１０，０００、好ましくは少なくとも１１，０００、好ましくは少なくとも１２，０００有し、好ましくは７０，０００以下、好ましくは５０，０００以下、好ましくは３０，０００以下、好ましくは２５，０００以下有する。
【００１４】
ポリマーは、自動食器洗浄機における不溶性沈着物の制御に有用な他のポリマーと組み合わせて使用してもよく、例えば、アクリル酸の残基の組み合わせを含むポリマー、メタクリル酸、マレイン酸または他の二酸モノマー、ポリエチレングリコールエステルを含むアクリル酸またはメタクリル酸のエステル、スチレンモノマー、ＡＭＰＳ及び他のスルホン化モノマー、ならびに置換アクリルアミドまたはメタクリルアミド、を含む。
【００１５】
本発明のポリマーは、アクリルモノマーの重合のための任意の既知の技術によって製造することができる。好ましくは、反応開始剤はリンを含有しない。好ましくは、ポリマーは１重量％未満のリンを含有し、好ましくは０．５重量％未満、好ましくは０．１重量％未満含有し、好ましくはポリマーはリンを含有しない。好ましくは、重合は過硫酸塩で開始され、ポリマー上の末端基は硫酸塩またはスルホン酸塩である。ポリマーは、水溶性溶液ポリマー、スラリー、乾燥粉末、もしくは顆粒、または他の固体形態であってもよい。
【００１６】
自動食器洗浄洗剤組成物の他の成分は、例えば、界面活性剤、酸素及び／または塩素漂白剤、漂白活性化剤、酵素、泡抑制剤、着色剤、香料、抗菌剤、ならびに充填剤を含み得る。典型的な界面活性剤レベルは、使用される特定の界面活性剤（複数可）に依存し、好ましくは界面活性剤の総量は０．５重量％〜１５重量％、好ましくは少なくとも０．７重量％、好ましくは少なくとも０．９重量％であり、好ましくは１０重量％以下、好ましくは７重量％以下、好ましくは４重量％以下、好ましくは２重量％以下、好ましくは１重量％以下である。好ましくは、界面活性剤は、非イオン性界面活性剤を含む。好ましくは、非イオン性界面活性剤は、式：ＲＯ−（Ｍ）ｘ−（Ｎ）ｙ−ＯＨ、またはＲ−Ｏ−（Ｍ）ｘ−（Ｎ）ｙ−Ｏ−Ｒ’を有し、式中、Ｍ及びＮはアルキレンオキシド（そのうちの１つはエチレンオキシド）から誘導された単位であり、ＲはＣ６−Ｃ２２の直鎖状または分岐状のアルキル基を表し、ならびに、Ｒ’は、アルコール前駆体とＣ６−Ｃ２２の直鎖もしくは分枝鎖アルキルハライド、エポキシアルカン、またはグリシジルエーテルとの反応から誘導される基を表す。錠剤または粉末中の充填剤は、不活性な水溶性物質、典型的にはナトリウム塩またはカリウム塩であり、例えば、ナトリウムまたはカリウムの硫酸化物及び／または塩化物であり、典型的には０重量％〜７５重量％の量で存在する。ゲル配合物中の充填剤は、前述のもの及び水をも含むことができる。香料、染料、泡抑制剤、酵素、及び抗菌剤は、通常、組成物の合計で５重量％以下である。
【００１７】
好ましくは、組成物は、少なくとも１０、好ましくは少なくとも１１．５のｐＨ（水中１重量％）を有し、いくつかの実施形態では１３以下のｐＨを有する。
【００１８】
組成物は、任意の典型的な形態、例えば、錠剤、粉末、投与一回分、匂い袋、ペースト、液体、またはゲルとして配合することができる。本組成物は、任意の典型的な自動食器洗浄機に、典型的な操作条件下で使用することができる。洗浄プロセス中の典型的な水温は、好ましくは２０℃〜８５℃、好ましくは３０℃〜７０℃である。食器洗浄機における全液体のパーセンテージとして、典型的な組成物の濃度は、好ましくは０．１〜１重量％、好ましくは０．２〜０．７重量％である。適切な製品形態及び添加時間の選択により、組成物は、予備洗浄、主洗浄、最終から２番目のすすぎ、最終すすぎ、またはこれらのサイクルの任意の組み合わせで存在してよい。
【実施例】
【００１９】
［表］
2020125497.tif 000002
【００２０】
［表］
2020125497.tif 000003
【００２１】
他のポリマーは、同一プロセスを使用して製造した。
【００２２】
［表］
2020125497.tif 000004
【００２３】
１．水を沸騰させる。
２．１６オンスの紙コップに、インスタントグレービー、安息香酸、及びデンプンを入れて混ぜ、この混合物に沸騰した水を加える。
３．牛乳とマーガリンを加える。
４．混合物を約４０℃に冷却する。
５．Ｋｉｔｃｈｅｎ  Ｍａｃｈｉｎｅ（Ｐｏｌｙｔｒｏｎ）のボウルにこの混合物を入れる。
６．１６オンスの紙コップに卵黄、ケチャップ、及びマスタードを入れ、スプーンで混ぜる。
７．冷却した混合物を、ボウルに撹拌しながら連続して加える。
８．混合物を５分間撹拌する。
９．混合物を凍らせる。
１０．プログラム開始前に、凍ったスラッシュを食器洗浄機に入れる。
【００２４】
［表］
2020125497.tif 000005
【００２５】
開放空気中で乾燥させた後、２人の熟練した観察者が、２つのグラスを、汚れと斑点形成の両方について１（きれい）〜５（重度の汚れ）で評価した。（ＡＳＴＭ−Ｄ  ３５５６−８５を参照）
【００２６】
［表］
2020125497.tif 000006
【００２７】
【表１】
2020125497.tif 000007
【００２８】
【表２】
2020125497.tif 000008
【００２９】
【表３】
2020125497.tif 000009
【００３０】
【表４】
2020125497.tif 000010
【００３１】
【表５】
2020125497.tif 000011
【００３２】
【表６】
2020125497.tif 000012
【００３３】
【表７】
2020125497.tif 000013
【００３４】
【表８】
2020125497.tif 000014
【外国語明細書】
2020125497000001.pdf
2020125497000002.pdf
2020125497000003.pdf